(57)【要約】【課題】    ループ配管式スプリンクラー配管設備において、送水試験に必要な末端試験弁用配管を低コストで施工できるようにする。【解決手段】  ループ配管１の基端箇所４の近傍部位に、閉弁時に送水管５からの送水の流れ方向を、ループ配管内で一方向となるように規制するメンテナンス用開閉弁１０を設け、メンテナンス用開閉弁１０の閉弁時におけるループ配管内の最下流位置またはその近傍位置のスプリンクラーヘッド用の分岐管２ｂに末端試験弁用配管７ｂの一端を接続すると共に、この末端試験弁用配管７ｂの他端に末端試験弁装置８を接続し、かつこの末端試験弁装置８の排水部８ａを排水管９に接続した構成とする。【選択図】  図１
2007044123.tif 000002
【特許請求の範囲】
【請求項１】
マンションなどの建物の各階にループ配管を配設し、このループ配管から各室に分岐管を設けて、これら分岐管にスプリンクラーヘッドを接続し、前記ループ配管の基端箇所を前記建物を縦貫する送水管に自動警報弁を介して接続し、かつ前記送水管の近傍位置に前記建物を縦貫する排水管が配設された配管設備において、
前記ループ配管の前記基端箇所の近傍部位に、閉弁時に送水管からの送水の流れ方向を、ループ配管内で一方向となるように規制するメンテナンス用開閉弁を設け、メンテナンス用開閉弁の閉弁時におけるループ配管内の最下流位置またはその近傍位置のスプリンクラーヘッド用の分岐管に末端試験弁用配管の一端を接続すると共に、この末端試験弁用配管の他端に末端試験弁装置を接続し、かつこの末端試験弁装置の排水部を前記排水管に接続した
ことを特徴とする配管設備。
【発明の詳細な説明】
【技術分野】
【０００１】
本発明はマンション、オフィスビルなどの建物の各階に配設され、散水によって火災の拡大を防止するために用いるスプリンクラーの配管設備に関するものである。
【背景技術】
【０００２】
マンションなどの建物の各階には、図２に示すように、ループ配管１を配設し、このループ配管１から各室に分岐管２を設けて、これら分岐管２にスプリンクラーヘッド３を接続し、前記ループ配管１の基端箇所４を前記建物を縦貫する送水管５に自動警報弁６を介して接続したスプリンクラー配管設備が従来より知られている。
【０００３】
ある部屋で火災が発生したときには、スプリンクラーヘッド３が動作して散水するが、このとき当該スプリンクラーヘッド３と送水管５との間における短い方のループ配管１内の流路を主として通って、送水管５から当該スプリンクラーヘッド３に水が送られ、また送水を検知して自動警報弁６が作動して、警報を管理室等に送信する。
【０００４】
そして上記のような動作が、当該階のすべてのスプリンクラーヘッド３について正常に行なわれる状態にあるか否かが、定期的に検査されている。この定期検査のために、従来のループ配管方式のスプリンクラー配管設備においては、送水条件の最も悪いスプリンクラーヘッド３ａ、すなわち送水管５から最も遠い位置にあるスプリンクラーヘッド３ａに送水するための末端分岐管２ａに、末端試験弁用配管７ａの一端を接続し、この末端試験弁用配管７ａの他端に末端試験弁装置８を接続し、かつ末端試験弁装置８の排水部８ａを前記建物を縦貫する排水管９に接続している。
【０００５】
前記末端試験弁装置８はスプリンクラーヘッド３が動作したときと同じように水を流出させるように構成されたものであって、この末端試験弁装置８を動作させることにより、スプリンクラーヘッド３が非散水状態下においても、スプリンクラー配管設備が正常な状態であるか否かを、自動警報弁の警報動作が正常になされるか否かによって判定できるようにしている。
【発明の開示】
【発明が解決しようとする課題】
【０００６】
マンション、オフィスビルなどの建物においては、前記給水管と前記排水管とを、互いに接近した位置に並設して、建物を縦貫するように配置していることが多い。これは建物の共用箇所に配管類をまとめて配設することが要請されるためである。このため、上記従来例では、図２に示すように、末端試験弁用配管７ａの始点が、給水管５および排水管９から最も速い位置となり、その終点が排水管９に近い位置となるため、末端試験弁用配管７ａを長距離にわたって設けなければならなくなっていた。そして末端試験弁用配管７ａが長寸のものとなるため、その管径を大として、流路抵抗の増大を防ぐことが必要でもあった。
【０００７】
上述のようにループ配管を用いた従来の技術では、自動警報弁の動作確認によりスプリンクラー配管設備が正常か否かを判定する検査のために設けた末端試験弁用配管が、長寸かつ管径が大のものとなって、配管自体のコストアップを招き、しかもこの末端試験弁用配管を長距離引き回す工事をしなければならず、施工費のコストアップを招くという問題がある。
【０００８】
本発明は上記従来技術の問題点を解消しうる配管設備を提供することを目的とする。
【課題を解決するための手段】
【０００９】
本発明は上記従来例の課題を解決するために、マンションなどの建物の各階にループ配管を配設し、このループ配管から各室に分岐管を設けて、これら分岐管にスプリンクラーヘッドを接続し、前記ループ配管の基端箇所を前記建物を縦貫する送水管に自動警報弁を介して接続し、かつ前記送水管の近傍位置に前記建物を縦貫する排水管が配設された配管設備において、前記ループ配管の前記基端箇所の近傍部位に、閉弁時に送水管からの送水の流れ方向を、ループ配管内で一方向となるように規制するメンテナンス用開閉弁を設け、メンテナンス用開閉弁の閉弁時におけるループ配管内の最下流位置またはその近傍位置のスプリンクラーヘッド用の分岐管に末端試験弁用配管の一端を接続すると共に、この末端試験弁用配管の他端に末端試験弁装置を接続し、かつこの末端試験弁装置の排水部を前記排水管に接続したことを特徴とする。
【発明の効果】
【００１０】
本発明によると、自動警報弁の動作確認によってスプリンクラー配設設備が正常か否かを判定する定期検査時に、メンテナンス用開閉弁を閉弁することにより、末端試験弁用配管が接続された分岐管のスプリンクラーヘッドを、ループ配管内の最下流位置またはその近傍位置に配されたものとすることができ、送水条件の最も悪いスプリンクラーヘッドに対応する送水実験を行うことができるので、定期検査の趣旨に沿った実験を行うことができる。そして本発明によれば、前記末端試験弁用配管を、前記メンテナンス用開閉弁、ひいては排水管の近くに配設することができるので、その長さを短く、その径を小のものとすることができると共に、前記末端試験弁用配管の配管工事を簡易なものとすることができる。
【００１１】
従って本発明によれば、ループ配管を用いたスプリンクラー配管設備において、上記定期検査用の設備を低コストで施工できるという効果がある。
【発明を実施するための最良の形態】
【００１２】
本発明の実施形態を図１を参照しつつ説明する。
【００１３】
図１において、１はループ配管、２は分岐管、３はスプリンクラーヘッド、４はループ配管１の基端箇所、５は送水管、６は自動警報弁、８は末端試験弁装置、９は排水管であって、これらは図２の従来例において説明したものと同等のものである。
【００１４】
本実施形態においては、前記ループ配管１の基端箇所４の一方側近傍部位にメンテナンス用開閉弁１０を配設している。このメンテナンス用開閉弁１０は、手動で弁の開閉を行うように構成され、前記定期検査の際のみ、閉弁される。通常の開弁時には、送水管６からの送水が前記基端箇所４より、図の上下両側方向に分れて送られ各スプリンクラーヘッド３に達するように構成されている。前記メンテナンス用開閉弁１０が閉弁されると、送水管６からの送水が前記基端箇所４より、図の上側方向にのみ送られ、図の反時計方向の流路により各スプリンクラーヘッドに達する。従って、図に２ｂで示す分岐管、および３ｂで示すスプリンクラーヘッドが、ループ配管１において、メンテナンス用開閉弁１０の閉弁時におけるループ配管内最下流位置に位置するものとなっている。
【００１５】
この分岐管２ｂの末端と前記排水管９の近くに接続された末端試験弁装置８とは、末端試験弁用配管７ｂによって連通されている。前記分岐管２ｂは、前記メンテナンス用開閉弁１０ひいては排水管９に近い箇所に配設されたものであり、前記末端試験弁装置８も排水管９に近い箇所に配設されるものであるので、両者２ｂ、８間を接続する末端試験弁用配管７ｂは短く、管径の小のものとすることができる。
【００１６】
上記定期検査は、メンテナンス用開閉弁１０を閉弁して行い、末端試験弁装置８間を動作（開弁）させると、送水管５からの水は、基端箇所４からループ配管１内に流入し、ループ配管１をほぼ１周して、前記分岐管２ｂに達し、次いで前記末端試験弁用配管７ｂを通って末端試験弁装置８に流入通過し、その排水部８ａより排水管９に排出される。
【００１７】
この定期検査によって、最も送水条件の悪いスプリンクラーヘッド３ｂに対応する送水実験を行うことができ、スプリンクラー配管設備が正常に機能している場合には、その送水状態を検知して作動する自動警報弁６の警報によって、そのことを確認することができる。
【００１８】
本発明は上記実施形態に示す外、種々の態様に構成することができる。例えば上記実施形態においては、メンテナンス用開閉弁１０の閉弁時におけるループ配管内の最下流位置のスプリンクラーヘッド用の分岐管２ｂに末端試験弁用配管７ｂを接続しているが、建物の構造上の都合等によってこれができない場合もあることを考慮すると、前記ループ配管内の最下流位置ではなくその近傍位置のスプリンクラーヘッド用の分岐管２に末端試験弁用配管７ｂを接続してもよい。また上記実施形態では、末端試験弁装置８を排水管９の近くに配しているが、これを排水管９から離れた位置に配し、その離れた分末端試験弁装置８の排水部８ｂの長さを長くした構成とすることも可能である。
【図面の簡単な説明】
【００１９】
【図１】本発明の実施形態に係るスプリンクラー配管設備を示す構成図。
【図２】従来例に係るスプリンクラー配管設備を示す構成図。
【符号の説明】
【００２０】
１  ループ配管
２、２ｂ  分岐管
３、３ｂ  スプリンクラーヘッド
４  基端箇所
５  送水管
６  自動警報弁
７ｂ  末端試験弁用配管
８  末端試験弁装置
８ａ  排水部
９  排水管
１０  メンテナンス用開閉弁
【図１】
2007044123.tif 000003
【図２】
2007044123.tif 000004